【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  その上層にフックアンドループ取付けシステムの半分を構成する複数のフックを有する比較的薄く可撓性で剛いシート材料でできた上層と、該上層に取り付けられた比較的弾性のあるクッション材料でできた下層とを有する積層部材を備える、装飾用カバーの下のクッション用支持体を形成するためのアンカーシートであって、前記積層部材が、十分な剛性、厚さ、および質量を有し、相補形フックアンドループ取付けシステムの後の半分を含むループによって上層に取り付けられ覆い被さる装飾用カバーと合体された場合、この合体が、安定性のために下にある基体に実質上取り付ける必要がないように挫屈および大気圧の力に対して安定となるアンカーシートにおいて、
前記上層が、第１のフックのない層と、隣接するアンカーシートと感圧接着テープによって継ぎ目接合するため該上層の少なくとも２つの対向する縁部に沿ってある領域をフックのないままに残すように該フックのない層上に置かれた第２のフックのあるフィルム層と、からなるアンカーシート。
【請求項２】  前記シートが長方形であり、前記フックのない領域が該長方形の４つの辺全てに沿っている請求項１に記載のアンカーシート。
【請求項３】  前記フックのない領域が、前記上層上でフックのあるフィルム層のほぼ厚さだけ凹んでいる請求項２に記載のアンカーシート。
【請求項４】  被覆される表面に移送され、相補形のループ付基材を有し上から覆い被さる装飾用カバー片を敷設するためにフックで覆われたアンカーシートの下張材を形成するように付加的なモジュールに取り付けるためのアンカーシートモジュールであって、
複数のフックで覆われる上層と、該上層に取り付けられる下層とを備え、該下層は、該上層を該下層に取り付けた後、隣接するモジュールの、または、モジュールと隣接するモジュールの間の継ぎ目にオーバーラップする付加的な部分の上層のオーバーラップ部分を着脱可能に取り付けるための下層のオーバーラップ領域が設けられるように寸法が決められるアンカーシートモジュール。
【請求項５】  各モジュールの上層と下層が恒久的に取り付けられる請求項４記載のアンカーシートモジュール。
【請求項６】  各モジュールの上層と下層が着脱可能に取り付けられる請求項４記載のアンカーシートモジュール。
【請求項７】  各々の上層と下層が、相補形のフックアンドループ取付けシステムにより着脱可能に取り付けられる請求項６記載のアンカーシートモジュール。
【請求項８】  アンカーシートモジュールの下層のオーバーラップ領域およびアンカーシートモジュールの上層のオーバーラップ領域が、相補形のフックアンドループ取付けシステムにより隣接するアンカーシートモジュールのオーバーラップ領域に取り付けることによって、そのようなアンカーシートモジュールを隣接するアンカーシートモジュールに着脱可能に取り付ける手段を備える請求項４記載のアンカーシートモジュール。
【請求項９】  アンカーシートモジュールの下層の下側が弾性のあるクッション層で覆われる請求項４記載のアンカーシートモジュール。
【請求項１０】  フックまたはループがそれに取り付けできない、滑らかで薄く硬く剛いシートであって、装飾用部品の端部に合うように形作られるシートを含むフックまたはループを一時的に覆うためのスリップカバー。
【請求項１１】  （ａ）一方の側がフックで覆われた薄く剛い可撓性シートを備えるアンカーシート片を選択するステップと、
（ｂ）前記アンカーシート片を第２のアンカーシート片と突き合わせるステップと、
（ｃ）上にある継ぎ目接合物またはテープにより前記複数のシート片を継ぎ目で接合するステップと、
（ｄ）ステップ（ａ）、（ｂ）、または（ｃ）のいずれかの後、前記１つまたは複数のアンカーシート片を覆われるスペースに合うようにトリミングするステップと、
（ｅ）その下側に相補形のループを有するカバーをアンカーシートのフックに、着脱可能な取り付けで敷設するステップとを含むカバーを敷設する方法であって、
カバーの敷設点にあるフックの少なくとも一部分が、取外し可能なスリップカバーで一時的に覆われ、
取外し可能なスリップカバーが、フックまたはループがそれに取付けできない滑らかで薄く硬く剛いシートであって、装飾用部品の端部に合うように形作られるシートであるカバーを敷設する方法。
【請求項１２】  （ａ）一方の側がフックで覆われた薄く剛い可撓性シートを備えるアンカーシート片を選択するステップと、
（ｂ）前記アンカーシート片を第２のアンカーシート片と突き合わせるステップと、
（ｃ）上にある継ぎ目接合物またはテープにより前記複数のシート片を継ぎ目で接合するステップと、
（ｄ）ステップ（ａ）、（ｂ）、または（ｃ）のいずれかの後、前記１つまたは複数のアンカーシート片を、覆われるスペースに合うようにトリミングするステップと、
（ｅ）取り外し可能な型板がアンカーシート上に置かれ、該アンカーシートのフックに着脱可能な取り付けで下面に相補形のループを有する装飾用片を挿入、またはアンカーシートの表面に模様を作り出すように型板を突きあわせるステップと、
を含んでなるカバーを敷設する方法。
【請求項１３】  装飾用カバー片の他の片に関して装飾用カバーをアンカーシート上に置くための型板において、
少なくとも２つの装飾用カバー片を収容するための領域を取り囲む所定の形状の外縁と、
前記外縁から下がる櫛歯と、
を含む型板。
【請求項１４】  比較的薄い可撓性の剛いシート材料の上層および比較的弾性のあるクッション材料の下層を備える装飾用カバー用の下張材を形成するために床に取り付けられるアンカーシートにおいて、
アンカーシートが、部屋の境界の内側で裁断してはめ合わせることができ、実質上床に取り付けることなく既存の床上で自由に浮動することにより、部屋の内側で歪みまたは挫屈なしに留まるのに十分な剛性と質量を有するアンカーシート。
【手続補正２】
【補正対象書類名】明細書
【補正対象項目名】０００５
【補正方法】変更
【補正の内容】
【０００５】
ベルクロ式ファスナの使用を含むごく最近の方法は、独国特許第７，０２９，５２４号（１９７０年８月８日、Ｖｅｌｃｒｏ  Ｆｒａｎｃｅ社）、米国特許第３，５７４，０１９号（１９７１年４月６日、Ｇｉｒａｒｄ）、英国特許第１，５４６，９０１号（１９７９年５月３１日、Ａｌｌｉｅｄ  Ｃｈｅｍｉｃａｌ  Ｃｏｒｐｏｒａｔｉｏｎ）、米国特許第４，８２２，６５８号（１９８９年４月１８日、Ｐａｃｉｏｎｅ）、米国特許第５，１９１，６９２号（１９９３年３月９日、Ｐａｃｉｏｎｅ）、米国特許第５，３８２，４６２号（１９９５年１月１７日、Ｐａｃｉｏｎｅ）、米国特許第５，４７９，７５５号（１９９６年１月２日、Ｐａｃｉｏｎｅ）、および、国際公開第９８／０３１０４（１９９８年、１月２９日  Ｐａｃｉｏｎｅ）号公報に説明されている。
【手続補正３】
【補正対象書類名】明細書
【補正対象項目名】００１２
【補正方法】変更
【補正の内容】
【００１２】
好ましくは、１つまたは多層の比較的薄く可撓性のある、比較的剛いシートの形態のアンカーシートを提供することによって、カーペットあるいはカーペット片の下面の補完するループと合致する可撓性シートの上面の補完するフックを用いることにより、シート面上に予め組み立て、あるいは現場で組み立てることができる可撓性のカーペットなどのカバー材料に完全性を与えることができる。ついでシートを、幾つかの不連続な点だけでコンクリートあるいは木材など下に横たわる基体上に敷設することができる。アンカーシートは石またはタイル上にさえ、石またはタイル床を著しく破壊することなく装飾用カバーを敷設することを可能にする。これは、また装飾用の模様を形成するためにアンカーシート上で一緒に様々な色あるいは片の装飾用カバーを裁断および合わせることにより、装飾用の模様を工場あるいは他の場所で予め組み立て、あるいは現場で組み立てることを可能にする。このようなシステムは、部分的絨毯または壁から壁にかけてのカバーに好適であり、またある種のタイプの壁から壁にかけての絨毯、および部分的絨毯、あるいはタイルにおいてさえ、アンカーシートを下に横たわる基体に取り付けることを全く必要としなくなるかもしれない。カーペットを壁あるいは部屋の境界に適合するように裁断する場合、あるいは例えば大量の家具が上に置かれる場合、アンカーシートは、カーペットに対して外縁の壁または他の境界の拘束下で、単にその位置に設置されることを可能にするのに十分な完全性が与えられればよい。しかしながら、アンカーシートは、それが配置される床または壁を支えないので、例えばＰａｃｉｏｎｅによる米国特許第５，０６０，４４３号のアンカー板に記載されているような従来の意味における構造的支持体ではないということを強調するべきである。これは、その上にあるカーペットあるいは装飾用カバーを安定化するための、およびカーペットあるいは装飾用カバーの個々の片を相互に結び付けるための媒体であるが、床にとって不可欠ではない。通常、実際にはアンカーシートは、アンカーシートが床の欠陥部を「乗り越える」ことを可能にするために、あるレベルの可撓性を維持する。
【手続補正４】
【補正対象書類名】明細書
【補正対象項目名】００１４
【補正方法】変更
【補正の内容】
【００１４】
本発明者等は、「可撓性」および「剛性」の両方をもつようなアンカーシートについて記述した。それは、妥当な長さに関して曲げることができ、ほとんどの環境において例えば３から４インチ（約７．６から１０．２ｃｍ）の曲率半径で巻き取ることさえ可能であるという意味で可撓性である。それは、一方の端を保持した場合、布や織物やテープと違って垂れ下がることなく、例えば１２〜２４インチ（３０．４８〜６０．９６ｃｍ）の距離にわたって自身を支えることができるという意味で剛性である。